(57)【要約】【課題】構成部材が少なく、組立て手間が大幅に省かれたロールカーテンのローラー装置を提供する。【解決手段】軸管３１と軸筒４１とは、それぞれ回転軸３０を取り囲むように形成されており且つ互いに対向して接触する環状の第１の固定周面３４１と環状の第１の可動周面４１５とを、また、互いに対向して接触する環状の第２の固定周面３１４と環状の第２の可動周面４１６とをそれぞれ有し、第１の固定周面３４１は、第２の固定周面３１４に対して径方向に所定の間隔をおいて設けられている。【選択図】図３
2014234663.tif 000002
【特許請求の範囲】
【請求項１】
ロールカーテンのスクリーンを巻き取ったり繰り出したりするようにローラーパイプを前記ローラーパイプのパイプ中心を回転軸として正逆回転可能に駆動するものであって、
前記ローラーパイプの一端側に取り付けられるように、前記回転軸と同軸に前記ローラーパイプ側に突出て設けられた軸管を有するベース枠と、
前記ローラーパイプと同軸で連動して回転可能に連結されるように前記ベース枠に取り付けられており、前記軸管と嵌合される軸筒が設けられた連動ユニットと、を備え、
前記軸管は、前記回転軸をそれぞれ取り囲んでおり且つ前記回転軸に沿う方向である軸方向に互いに離れて設けられた環状の第１の固定周面と環状の第２の固定周面とを有し、
前記軸筒は、前記回転軸をそれぞれ取り囲んでおり且つ前記軸方向に互いに離れて設けられた、前記第１の固定周面と対向して接触する第１の可動周面と、前記第２の固定周面と対向して接触する第２の可動周面と、を有し、
前記第１の固定周面は、前記第２の固定周面に対して前記軸方向と直角の径方向に所定の間隔をおいて設けられている
ことを特徴とするロールカーテンのローラー装置。
【請求項２】
前記ベース枠は、前記第１の固定周面が形成されており前記軸管から前記径方向に離れて前記軸管よりも径大に設けられている環状壁と、前記径方向に沿って平面状に延伸されており、前記環状壁と前記軸管とが前記軸方向と平行に突き出るように前記環状壁及び前記軸管と一体に連結されて設けられたベース壁と、を有することを特徴とする請求項１に記載のロールカーテンのローラー装置。
【請求項３】
更に、前記連動ユニットを回転可能に駆動するように前記連動ユニットと連結されている制御チェーンを有し、
前記連動ユニットは更に、前記回転軸を取り囲むように前記制御チェーンが巻きつけられるよう前記軸筒と連結されて設けられた取付リングを有することを特徴とする請求項２に記載のロールカーテンのローラー装置。
【請求項４】
前記ベース枠には、前記軸方向に沿って前記ベース壁より直立リングが突き出て設けられ、
前記取付リングは、前記直立リングの突き出た端面に対向して接触する当て面を有することを特徴とする請求項３に記載のロールカーテンのローラー装置。
【請求項５】
前記軸筒は、前記軸方向に長手状に延伸されており、前記ベース枠側に前記第１の可動周面を有する第１の筒部と、該第１の筒部と所定の間隔をおいて設けられた前記第２の可動周面を有する第２の筒部と、前記第１の筒部及び前記第２の筒部と連結されるように前記軸方向に延伸されており、前記回転軸を取り囲むように所定の角度間隔をおいて設けられた少なくとも２つの連結片と、を有し、
前記第１の筒部は、前記第１の筒部の外周部と前記連結片との間に前記軸方向の前記ローラーパイプ側に向かう肩面があるように且つ前記連結片によって前記回転軸を取り囲んで画成されたロール空間よりも径大に形成され、
前記ローラー装置は更に、
前記ローラーパイプと同軸回転可能に連結されるように前記連動ユニットと連動可能に連結されており、前記連動ユニットが嵌入されるように軸方向に長く延伸されたロール状に形成され、前記肩面に対向して前記肩面と接触するように前記径方向に突き出た環状のフランジ部が設けられ、前記フランジ部には、前記肩面と接触する接触端面が形成されている取付ユニットと、
前記連動ユニット、前記取付ユニット及び前記ベース枠が互いに嵌め合わされて連結されるように設けられた固定ユニットと、
前記軸管及び前記軸筒の間で前記軸管に巻き取られており、相反する両端部が前記軸筒側に延出している弾性ユニットと、を備えている
ことを特徴とする請求項４に記載のロールカーテンのローラー装置。
【請求項６】
前記軸管は、前記ベース壁から離れて前記第２の固定周面が形成された軸端部を有し、
前記固定ユニットは、前記軸端部の外端面に前記軸方向に締め付けられるねじ部材と、該ねじ部材と前記軸端部との間に介在して定位される座金部材と、を有し、
前記軸端部には、前記ねじ部材が挿入されるねじ孔が前記軸方向沿いに延伸されるように設けられ、
前記取付ユニットは、前記軸筒を取り囲むように設けられた取付筒を有し、該取付筒には前記軸端部と嵌合されるように前記径方向の内向きに突き出た環状のつばが形成されている
ことを特徴とする請求項５に記載のロールカーテンのローラー装置。
【請求項７】
前記軸筒は、前記少なくとも２つ以上の連結片間の間隔によって形成された少なくとも２つ以上のスロットを有し、
前記弾性ユニットは、少なくとも２つ以上の弾性部材を有し、各前記弾性部材は前記スロットにおける一方のスロット及び他方のスロットから前記径方向の外向きに突き出て前記連結片に係止されるようになる２つの脚部を有することを特徴とする請求項６に記載のロールカーテンのローラー装置。
【発明の詳細な説明】
【技術分野】
【０００１】
本発明は、ロールカーテンのスクリーンを巻き取ったり繰り出したりするようにローラーパイプを正逆回転可能に駆動するローラー装置に関する。
【背景技術】
【０００２】
図６は、従来のロールカーテンの一例を示し、図７はロールカーテンに用いられた従来のローラー装置の一例を示す。従来のロールカーテンは、ローラー装置１を介してローラーパイプ（図示せず）が自身の中心を回転軸１１として正逆回転可能に所定の距離を隔てて対向した一対のブラケット部材２１、２１の一方に架設され、このローラーパイプにスクリーン２０の上端が固定されている。これによって、ビーズチェーン１５の操作によりローラー装置１が連動して回転されると、ローラーパイプを正逆回転させ、スクリーン２０の繰り出し及び巻き取りができるようになっている。従来のローラー装置１では、ブラケット部材２１に固定された固定枠１２と、固定枠１２に取り付けられた制御部材１３と、の間に輪状のスリーブ部材１８が設けられている。これによって、ビーズチェーン１５が引き下げられた場合、固定枠１２と制御部材１３との間における摩擦を軽減することができる。また、固定枠１２から制御部材１３に向かって張り出された定位チューブ１２２と、スクリーン２０が固定された固定筒１７との間に中空状の定位部材１９が設けられている。これによって、制御部材１３が回転したとき制御部材１３と固定筒１７との間における摩擦を軽減することができる。
【先行技術文献】
【特許文献】
【０００３】
【特許文献１】台湾登録実用新案第４４０７３９号明細書
【発明の概要】
【発明が解決しようとする課題】
【０００４】
しかし、この従来のローラー装置１は、スリーブ部材１８や定位部材１９などを設けていることによりローラー装置１の回転が順調に行なわれるが、構成部材が細かくなり且つ多くなるため、組立てなどに手間が掛る問題点がある。
【０００５】
本発明は、上記問題点に鑑みてなされたものであり、構成部材が少なく、組立ての手間を大幅に省くことができるロールカーテンのローラー装置を提供することを目的とする。
【課題を解決するための手段】
【０００６】
上記目的を達成するために、本発明は、ロールカーテンのスクリーンを巻き取ったり繰り出したりするようにローラーパイプを前記ローラーパイプのパイプ中心を回転軸として正逆回転可能に駆動するものであって、前記ローラーパイプの一端側に取り付けられるように、前記回転軸と同軸に前記ローラーパイプ側に突出て設けられた軸管を有するベース枠と、前記ローラーパイプと同軸で連動して回転可能に連結されるように前記ベース枠に取り付けられており、前記軸管と嵌合される軸筒が設けられた連動ユニットと、を備え、前記軸管は、前記回転軸をそれぞれ取り囲んでおり且つ前記回転軸に沿う方向である軸方向に互いに離れて設けられた環状の第１の固定周面と環状の第２の固定周面とを有し、前記軸筒は、前記回転軸をそれぞれ取り囲んでおり且つ前記軸方向に互いに離れて設けられた、前記第１の固定周面と対向して接触する第１の可動周面と、前記第２の固定周面と対向して接触する第２の可動周面と、を有し、前記第１の固定周面は、前記第２の固定周面に対して前記軸方向と直角の径方向に所定の間隔をおいて設けられていることを特徴とするロールカーテンのローラー装置を提供する。
【発明の効果】
【０００７】
本発明に係るローラー装置では、軸管と軸筒とに形成された環状の第１の固定周面と環状の第１の可動周面とが、また、環状の第２の固定周面と環状の第２の可動周面とが互いに対向して接触していることによって、連動ユニットはベース枠に対して安定して回転することができる。これによって、構成部材が少なく、組立て手間が大幅に省かれたロールカーテンのローラー装置を提供することができる。
【図面の簡単な説明】
【０００８】
【図１】本発明に係るロールカーテンのローラー装置の一実施例の構成を示す分解斜視図である。
【図２】本発明の実施例の組立側面図である。
【図３】図２のＩＩＩ−ＩＩＩ線の断面図である。
【図４】図３の一部を拡大して示す図である。
【図５】図２のＶ−Ｖ線の断面図である。
【図６】従来のロールカーテンの一例を示す図である。
【図７】従来のロールカーテンに用いられたローラー装置の一例を示す断面図である。
【発明を実施するための形態】
【０００９】
（実施例）
以下、図面に基づいて本発明の実施例を説明する。図１は、本発明に係るロールカーテンのローラー装置の一実施例の構成を示す分解斜視図、図２は、本発明の実施例の組立側面図、図３は、図２のＩＩＩ−ＩＩＩ線の断面図、図４は、図３の一部を拡大して示す図、図５は、図２のＶ−Ｖ線の断面図である。本発明に係るローラー装置は、例えば図６に示されているロールカーテンのスクリーンを巻き取ったり繰り出したりするようにローラーパイプを該ローラーパイプのパイプ中心を回転軸として正逆回転可能に駆動するものである。例えば制御チェーン５の操作により連動して回転されると、ローラーパイプを正逆回転させ、スクリーンの繰り出し及び巻き取りができるようになっている。
【００１０】
本発明に係るローラー装置は、図示の如く、ローラーパイプの一端側に取り付けられるようにローラーパイプのパイプ中心を回転軸３０として同軸に配置されるベース枠３と、連動ユニット４と、取付ユニット６と、を備えている。なお、このロールカーテンは、例えばコードやチェーンなどによってスクリーンを巻き取ったり繰り出したりするようになっているものである。この例ではローラー装置は、更に制御チェーン５を備えている。また、スクリーンが所定の位置に更に安定して定位するように弾性ユニット７を備えている。
【００１１】
ベース枠３は、回転軸３０と同軸にローラーパイプ側に突き出て設けられた軸管３１を有する。
【００１２】
連動ユニット４は、ローラーパイプと同軸に連動して回転可能に連結されるようにベース枠３に取り付けられており、連動ユニット４には、軸管３１と嵌合される軸筒４１が設けられている。
【００１３】
取付ユニット６は、ローラーパイプと同軸回転可能にローラーパイプが取り付けられるように連動ユニット４と連動可能に連結されている。
【００１４】
ベース枠３は、回転軸３０沿いの軸方向と直角な径方向に軸管３１から離れて設けられており軸管３１よりも径大に設けられた環状壁３４と、径方向に沿って平面状に延伸されており環状壁３４と軸管３１とが軸方向と平行に直立して突き出るように環状壁３４及び軸管３１と一体に連結されているベース壁３２と、軸方向に沿ってベース壁３２より突き出た直立リング３２１と、直立リング３２１よりも径方向の外縁で軸方向に突き出たフランジ壁３３と、を有する。
【００１５】
軸管３１は、中空筒状になっており、ベース壁３２側の第１の軸部３１１と、第１の軸部３１１から続いて第１の軸部３１１の軸径よりも径小に延伸されている第２の軸部３１２と、第２の軸部３１２から続いて第２の軸部３１２の軸径よりも径小に延伸されている軸端部である第３の軸部３１３と、からなっている。
【００１６】
第３の軸部３１３は、ローラーパイプ側で回転軸３０を取り囲む第２の固定周面３１４と、第３の軸部３１３の軸端が径小になるように環状の第１の肩面３１９と第１の肩面３１９よりも面積が小である環状の第２の肩面３１８とがある段付き端部と、該端部の外面である回転軸３０と垂直な外端面３１５と、外端面３１５と反対側の軸管３１の内部側に形成されている内端面３１６と、回転軸３０と平行な軸方向沿いに延伸されるように外端面３１５と内端面３１６とを貫通して設けられたねじ孔３１７と、を有する。
【００１７】
ベース壁３２には、制御チェーン５の垂れ下がった側に通り穴３３１が切り欠いて設けられており、制御チェーン５がベース壁３２及びフランジ壁３３の間を通り抜けることができる。
【００１８】
環状壁３４は、第２の固定周面３１４から同軸に離れて、フランジ壁３３に近い側で回転軸３０を取り囲むように形成された環状の第１の固定周面３４１を有する。
【００１９】
環状壁３４及びフランジ壁３３の間に環状の空間３５が画成されており、図４に示されているように、直立リング３２１がベース壁３２より軸方向に沿って環状の空間３５側に突き出て設けられている。
【００２０】
連動ユニット４は、ローラーパイプと同軸で連動して回転可能に連結されるようにベース枠３に取り付けられており、連動ユニット４には、軸管３１と嵌合される軸筒４１が設けられている。連動ユニット４は更に、回転軸３０を取り囲むように制御チェーン５が巻きつけられるよう軸筒４１と連結されて設けられた取付リング４２を有する。
【００２１】
制御チェーン５は、連動ユニット４を回転可能に駆動するように連動ユニット４と連結されており、取付リング４２の外周面に巻かれている。本実施例では、制御チェーン５として複数のビーズ５１が一連に繋がるように設けられたビーズチェーンを用いた。
【００２２】
取付リング４２の外周面には、ビーズチェーンにおける各ビーズ５１、５１、・・・が容置される凹部４２１、４２１、・・・が環設されている。取付リング４２は、直立リング３２１の突き出た端面に対向して接触する当て面４２２を有する。
【００２３】
軸筒４１は、軸方向に長手状に延伸されており、ベース枠３側に第１の固定周面３４１と対向して接触されるように回転軸３０の周りに環状壁３４を取り囲むように形成された環状の第１の可動周面４１５を有する第１の筒部４１１と、該第１の筒部４１１と所定の間隔をおいて第２の固定周面３１４と対面すると共に第１の可動周面４１５から同軸で離れて設けられた第２の可動周面４１６を有する第２の筒部４１２と、第１の筒部４１１及び第２の筒部４１２と連結されるように軸方向に沿って延伸されており、回転軸３０を取り囲むように所定の角度間隔をおいて設けられた少なくとも２つの連結片４１３と、を有する。連結片４１３間の間隔によって少なくとも２つ以上のスロット４１４が形成されている。
【００２４】
第１の筒部４１１は、図１及び図３に示されているように、第１の筒部４１１の外周部と連結片４１３との間に軸方向のローラーパイプ側に向かう肩面４１７付きの環状段部が形成されるように且つ連結片４１３によって回転軸３０を取り囲んで画成されたロール空間よりも径大に形成されている。
【００２５】
取付ユニット６は、連動ユニット４が嵌入されるように軸方向に長く延伸されたロール状に形成され、軸筒４１を取り囲むように設けられた取付筒６１を有し、取付ユニット６には、肩面４１７に対向して肩面４１７と接触するように径方向に突き出た環状のフランジ部６２と、第３の軸部３１３の段付き端部が嵌合される中央孔付きの端部と、が設けられている。取付筒６１には、第３の軸部３１３と嵌合されるように径方向の内向きに突き出た環状のつば６３が形成されている。フランジ部６２は、肩面４１７と接触する接触端面６２１を有する。なお、取付筒６１の外周面には、所定の角度間隔をおいて径方向に放射されるように軸方向沿いに延伸された羽根板が取り付けられている。
【００２６】
本発明に係るローラー装置は、更に連動ユニット４、取付ユニット６及びベース枠３が互いに嵌め合わされて連結されるように設けられた固定ユニット８と、軸管３１及び軸筒４１の間で軸管３１に緊密に巻き取られており、相反する両端が軸筒４１側に延出している弾性ユニット７と、を備えている。
【００２７】
固定ユニット８は、ねじ孔３１７に締め付けられるねじ部材８２と、該ねじ部材８２と第３の軸部３１３との間に介在して定位される座金部材８１と、を有する。これによって、ベース枠３と連動ユニット４と取付ユニット６とは分離することなく一体に連結されることができる。
【００２８】
弾性ユニット７は、少なくとも２つ以上の弾性部材７１を有し、各弾性部材７１の両端はスロット４１４における一方のスロット及び他方のスロットから径方向の外向きに突き出て連結片４１３に係止されるようになる脚部７１１、７１１を有する。なお、弾性部材７１は例えば捩りコイルばねである。
【００２９】
なお、ローラーパイプやスクリーンのローラー装置への取付けは当該技術分野では既知技術であるので、ここではその詳細を省略する。
【００３０】
次に、以上のように構成された本実施例に係るローラー装置の動作及び作用を説明する。
【００３１】
制御チェーン５を引くと、ローラー装置が連動して正回転或いは逆回転をする。ローラー装置の回転によって、ローラーパイプを正逆回転させ、スクリーンの繰り出し及び巻取りを行うことができる。本実施例に係るローラー装置では、軸管３１と軸筒４１とに形成された環状の第１の固定周面３４１と環状の第１の可動周面４１５とが、また、第１の固定周面３４１から離れた環状の第２の固定周面３１４と第１の可動周面４１５から離れた環状の第２の可動周面４１６とがそれぞれ接触されることによって、連動ユニット４はベース枠３に対して安定して回転することができる。これによって、構成部材が少なく、組立ての手間が従来ほど掛らずに済むロールカーテンのローラー装置を提供することができる。
【００３２】
また、直立リング３２１は取付リング４２に対してリブ状に突き出て設けられているので、取付リング４２のベース枠３との接触面積を減らすことができ、接触回転による騒音や磨耗をより一層低減することができる。
【００３３】
また、弾性部材７１は両端の脚部７１１、７１１が対応するスロット４１４より突き出て連結片４１３に係止されるように軸筒４１に巻かれているので、軸筒４１が回転するとき、脚部７１１、７１１が連結片４１３によって引っ掛けられて弾性部材７１の軸筒４１に対する巻きが緩くなり、弾性部材７１も軸筒４１の回転と共に回転されるが、軸筒４１が回転しないときは、弾性部材７１は再び軸筒４１に緊密に巻かれるので、スクリーンが所定の位置により一層安定して定位されることができる。
【００３４】
なお、上述のごとく、図面を参照してこの発明の実施例を説明したが、本発明は、図示した実施例に限定されるものではない。本発明と同一の範囲内において、または均等の範囲内において、図示した実施形態に対して種々の変更を加えることが可能である。
【産業上の利用可能性】
【００３５】
本発明に係るローラー装置は、ロールカーテンやロールシェードに用いられるローラー装置として有用である。
【符号の説明】
【００３６】
３  ベース枠                            ４１３  連結片
３０  回転軸                            ４１４  スロット
３１  軸管                              ４１５  第１の可動周面
３１１  第１の軸部                      ４１６  第２の可動周面
３１２  第２の軸部                      ４１７  肩面
３１３  第３の軸部（軸端部）            ４２  取付リング
３１４  第２の固定周面                  ４２１  凹部
３１５  外端面                          ４２２  当て面
３１６  内端面                          ５  制御チェーン
３１７  ねじ孔                          ５１  ビーズ
３１８、３１９  肩面                    ６  取付ユニット
３２  ベース壁                          ６１  取付筒
３２１  直立リング                      ６２  フランジ部
３３  フランジ壁                        ６２１  接触端面
３３１  通り穴                          ６３  つば
３４  環状壁                            ７  弾性ユニット
３４１  第１の固定周面                  ７１  弾性部材
３５  環状の空間                        ７１１  脚部
４  連動ユニット                        ８  固定ユニット
４１  軸筒                              ８１  座金部材
４１１  第１の筒部                      ８２  ねじ部材
４１２  第２の筒部
【図１】
2014234663.tif 000003
【図２】
2014234663.tif 000004
【図３】
2014234663.tif 000005
【図４】
2014234663.tif 000006
【図５】
2014234663.tif 000007
【図６】
2014234663.tif 000008
【図７】
2014234663.tif 000009